(57)【要約】【課題】１つの成形型で成型した１つのプロテクタでありながら、成型後であっても所望の配索ルートに沿って変形可能で、その内部に配設するワイヤハーネス全体を長手方向において一様に外装して保護できるワイヤハーネス用プロテクタを提供する。【解決手段】長尺状に形成され、取付対象物１９上に配設される樋状のワイヤハーネス用プロテクタ１であって、それぞれ長手方向に適宜長さに延びた非可撓性樹脂素材から成る硬質部４ａ，４ｂ，４ｃと可撓性樹脂素材より成る軟質部５ａ，５ｂとを二色成型により交互に複数形成して成り、硬質部は一定の形状を保持しつつ、軟質部が適当に伸縮して屈曲することができ、内部にワイヤハーネス１２を配設できるようにした。  【選択図】図８
2008228466.tif 000002
【特許請求の範囲】
【請求項１】
ワイヤハーネスに外装される樋状のワイヤハーネス用プロテクタであって、該プロテクタは、それぞれ長手方向に適宜長さに延びた非可撓性樹脂素材より成る硬質部と可撓性樹脂素材より成る軟質部とが一体的に連接されて形成され、上記硬質部は一定の形状を保持しつつ、上記軟質部が適宜に伸縮し、屈曲し得ることを特徴とする、ワイヤハーネス用プロテクタ。
【請求項２】
前記プロテクタは、長手方向における長さをそれぞれ適当にとった、前記硬質部と前記軟質部とを交互に二色成型により複数形成して成ることを特徴とする、請求項１に記載のワイヤハーネス用プロテクタ。
【発明の詳細な説明】
【技術分野】
【０００１】
本発明は、ワイヤハーネスに外装されるワイヤハーネス用プロテクタに係り、特にワイヤハーネスの配索に対応してフレキシブルに変形可能なワイヤハーネス用プロテクタに関するものである。
【背景技術】
【０００２】
ワイヤハーネス用プロテクタは、その内部にワイヤハーネスを収納して保護しつつ、該ワイヤハーネスを所定の配索位置に保持するためのものであって、概ね長尺溝状を成し、配設対象の所定の配設ルートに整合した屈曲形状を有して、上記配設対象に対して配置固設されるものである。
【０００３】
例えば、自動車の車体等に配索されるワイヤハーネスは、他の機材や部材を回避したルートに配設されるため、自ずとこのワイヤハーネスを保護するワイヤハーネス用プロテクタも数カ所に屈曲部を備えたものとなっている。このような構成を採るワイヤハーネス用プロテクタの例としては、特許文献１を挙げることができる。一般に、この種のプロテクタは、硬質樹脂素材から成る成型品であり、予め成型した形状は、成型後或いは配設時において、ワイヤハーネスの配設ルートに合わせて変形させることはできない。
【０００４】
従って、例えば車体の左右の対称位置にプロテクタを配設するには、鏡映対称の成形型を２つ用意しなければならず、高コスト化するという問題があった。このような問題点を解決すべく創作されたプロテクタとしては、特許文献１に開示されているものを挙げることができる。特許文献１に記載されているワイヤハーネス用プロテクタは、硬質樹脂素材より成る所定の屈曲形状を有する長尺溝状の２つのプロテクタが、蛇腹状に形成された連結部によって互いに端部同士で連結されて成っている。
【特許文献１】特開２００３−８７９２８号公報
【発明の開示】
【発明が解決しようとする課題】
【０００５】
しかしながら、このような従来のワイヤハーネス用プロテクタでは、蛇腹状の連結部位置において該プロテクタの内部に配設したワイヤハーネスが外部に露出してしまい、その露出部分を保護することができなくなるという問題があった。
【０００６】
本発明は、上記問題点に鑑みて創作されたものであり、１つの成形型で成型した１つのプロテクタでありながら、成型後であっても所望の配索ルートに沿って変形することが可能であり、その内部に配設するワイヤハーネス全体を長手方向において一様に外装して保護することができるワイヤハーネス用プロテクタを提供することを目的とする。
【課題を解決するための手段】
【０００７】
上記目的を達成するために、本発明のワイヤハーネス用プロテクタは、ワイヤハーネスに外装する樋状に形成されるワイヤハーネス用プロテクタであって、このプロテクタは、それぞれ長手方向に延びた適宜長さの非可撓性樹脂素材より成る硬質部と、可撓性樹脂素材より成る軟質部とが連続的に一体化して形成され、硬質部を一定の形状に保持しつつ、軟質部を適当に屈曲伸縮させることによって、ワイヤハーネスの配索経路に沿ってプロテクタを変形させて配設することができるようにしたことを特徴としている。
【０００８】
また、プロテクタは、長手方向における長さをそれぞれ適当にとった、硬質部と軟質部とを二色成型によって、交互に複数形成して成ることを特徴としている。
【発明の効果】
【０００９】
本発明によれば、プロテクタの長手方向における所定の長さを有する硬質部と軟質部とを交互に、好ましくは二色成型したことによって、成型後であっても軟質部を屈曲又は伸縮させることで、プロテクタを３次元的に自由に屈曲させることが可能である。従って、プロテクタは、１つの成形型で成型した１つのプロテクタでありながら、ワイヤハーネスの鏡映対称の配設位置或いは所望の配設ルートに沿って変形させながら配設することが可能である。また、本発明においては、プロテクタの内部に配設するワイヤハーネス全体を長手方向において一様に外装して保護することができる。
【発明を実施するための最良の形態】
【００１０】
以下、本発明の好ましい実施の形態を図１乃至８を参照しながら詳細に説明する。図１は、本実施形態のワイヤハーネス用プロテクタ（以下、「プロテクタ」という。）１を示している。プロテクタ１は長尺状に形成され、樋状、即ち、断面が凹形状を成している。この樋形状は、平坦な底部２と、この底部２の左右両端から垂直に立ち上がった互いに対向する２つの側壁３ａ，３ｂとから構成される略Ｕ字形を成している。該プロテクタ１は、それぞれ長手方向に適宜長さに延びた非可撓性樹脂素材より成る硬質部４ａ，４ｂ，４ｃと、可撓性樹脂素材より成る軟質部５ａ，５ｂとを連続的に交互に複数形成して成る。本実施形態のワイヤハーネス用プロテクタ１は、その両端部分と中央部分とが硬質部４ａ，４ｂ，４ｃ、それらの間が軟質部５ａ，５ｂであり、すなわち合計５つの部分から成っている。
【００１１】
この交互に形成される硬質部４ａ，４ｂ，４ｃと軟質部５ａ，５ｂとは、二色成型によって形成することができる。硬質部４ａ，４ｂ，４ｃを成す非可撓性樹脂素材としては、従来公知の汎用性の硬質樹脂を用いることができ、好ましくはポリプロピレンやポリエチレン等の比較的硬質樹脂を採用することができる。軟質部５ａ，５ｂを成す可撓性樹脂素材としては、従来公知の汎用性の軟質樹脂であって、合成ゴム等のように伸縮性を備えた樹脂を用いることが好ましく、例えばエラストマ樹脂を採用することができる。ただし、硬質部４ａ，４ｂ，４ｃ及び軟質部５ａ，５ｂを成す樹脂素材としては、互いの樹脂素材の結合性が良好な素材を選択する。
【００１２】
図３に示すように、プロテクタ１の適当な硬質部４ａ，４ｃの外底面６ａ，６ｃのほぼ中央には、フック７ａ，７ｂが配設される。このフック７ａ，７ｂは、図６に示すように、プロテクタ１を取り付ける取付対象物８に形成された取付孔９ａ，９ｂに挿入して係止し、プロテクタ１を取付対象物８に固着するためのものである。図３に示すように、フック７ａ，７ｂは、外底面６ａ，６ｃから互いに平行に垂下した２本の垂下部１０ａ，１０ｂと、これらの垂下部１０ａ，１０ｂの下端から、それぞれプロテクタ１の幅方向外向きに返し状に形成される抜け止１１ａ，１１ｂとから成る。このように形成されるフック７ａ，７ｂは、図３に示すように、プロテクタ１の長手方向に並ぶ硬質部４ａ，４ｂ，４ｃの中でも両端部分に位置する硬質部４ａ，４ｃの外底面に形成される。勿論、フック７ａ，７ｂは、プロテクタ１の長手方向における中央部分に位置する硬質部４ｂの外底面６ｂ、若しくは、軟質部５ａ，５ｂの外底面６ｄ，６ｅに形成することも可能である。
【００１３】
こうして形成された本実施形態のワイヤハーネス用プロテクタ１は、軟質部５ａ，５ｂが可撓性を発現するので、ワイヤハーネス１２の配索経路に柔軟に対応して配設することができる。このプロテクタ１を屈曲させる際には、硬質部４ａ，４ｂ，４ｃは、ほぼ一定の形状を保持しつつ、軟質部５ａ，５ｂが適当に伸縮して屈曲するようになっている。
【００１４】
例えば、図４に示すように、プロテクタ１を左右方向に屈曲する際には、プロテクタ１が曲がって描くカーブの内側に位置する軟質部５ａ，５ｂの側壁３や底部２は、圧縮されて縮む。これに対して、プロテクタ１が曲がって描くカーブの外側に位置する軟質部５ａ，５ｂの側壁３や底部２は、伸張されて延びる。つまり、本実施形態のプロテクタ１は、該プロテクタ１の軟質部５ａ，５ｂの幅方向において、このような変形が生じることによって屈曲することができるようになっている。
【００１５】
また、このプロテクタ１は、左右方向に屈曲できるのみならず、上下方向に屈曲することも可能であり、この場合には図５に示すように、左右の側壁３ａ，３ｂの上部を圧縮させつつ、底部２を伸張すれば、プロテクタ１を上向きに屈曲することができ、左右の側壁３ａ，３ｂの上部を伸張させつつ、底部２を圧縮すれば該プロテクタ１を下向きに屈曲することができる。
【００１６】
従って、例えば、図６に示すように、縦断面略Ｌ状に鉤形を成す取付対象物８の天板部１３及び鉛直壁部１４の外側に、一連のワイヤハーネス用プロテクタ１を配設することができる。取付対象物８がこのような形態である場合には、取付対象物８の天板部１３の適当な部位に、該プロテクタ１の一方のフック７ａを係入するための長円形を成す取付孔９ａを予め穿孔する。この取付孔９ａは、天板部１３の表裏に亘って貫通させて穿設する。また、取付対象物８の鉛直壁部１４の適当な部位には、プロテクタ１の他方のフック７ａを係入する、該鉛直壁部１４の表裏に貫通した長円形を成す取付孔９ｂを予め穿孔する。このように形成された取付対象物８にプロテクタ１を装着する場合には、プロテクタ１を取付対象物８の外壁に沿って、プロテクタ１の外底面６を取付対象物８の外側面に当接させるように、略Ｌ字形に変形させて、その両端部に位置する硬質部４ａ，４ｃの外底面６ａ，６ｃに形成されたフック７ａ，７ｂを、それぞれ天板部１３と鉛直壁部１４とに形成された取付孔９ａ，９ｂに係入して装着する。
【００１７】
縦断面略Ｌ字形を成す取付対象物１８の底板部１５及び鉛直壁部１６の内側に、一連のワイヤハーネス用プロテクタ１を配設する場合には、図７に示すように、取付対象物１８の底板部１５の適当な部位に、プロテクタ１の一方のフック７ｂを係入するための長円形の取付孔１７ｂを予め穿孔し、取付対象物１８の鉛直壁部１６の適当な部位に、プロテクタ１の他方のフック７ａを係入する、鉛直壁部１６の表裏に貫通した長円形の取付孔１７ａを予め穿孔する。これらの取付孔１７ａ，１７ｂは、何れも底板部１５や鉛直壁部１６の表裏に亘って貫通したものである。このように形成された取付対象物１８にプロテクタ１を装着する場合には、プロテクタ１の外底面６を取付対象物１８の内側面に当接させるように、取付対象物１８の内壁に沿って略Ｌ字形に変形させて、その両端部に位置する硬質部４ａ，４ｃの外底面６ａ，６ｃに形成されたフック７ａ，７ｂを、それぞれ底板部１５と鉛直壁部１６とに形成された取付孔９ａ，９ｂに係入して装着する。
【００１８】
例えば、本実施形態のワイヤハーネス用プロテクタ１を使用する場合には、図８に示すように、プロテクタ１を右曲がりに「く」字形に屈曲させて取付対象物１９に対して装着しつつ、この樋状を成すプロテクタ１の内部に、ワイヤハーネス１２をこのプロテクタ１と同様に右曲がりに屈曲させながら配設する。勿論、プロテクタ１やワイヤハーネス１２は、右曲がりに限らず、左曲がりや上下何れの向きに曲げて配設することも可能である。即ち、ワイヤハーネス１２は、その長手方向において一様にプロテクタ１を外装して保護し、鏡映対称に配設したり、或いは、所望の配設ルートに沿って変形させながら配設することが可能である。
【００１９】
以上説明したように、本発明のワイヤハーネス用プロテクタ１は、１つの成形型を用いて二色成型することによって、硬質部４ａ，４ｂ，４ｃと軟質部５ａ，５ｂとを交互に複数連続的に形成して得られる１つのプロテクタ１であって、所望の配設ルートに沿って変形させながら配設することが可能なものであり、その主旨を逸脱しない範囲において様々な形態で実施することができる。
【図面の簡単な説明】
【００２０】
【図１】本実施形態のワイヤハーネス用プロテクタの斜視図である。
【図２】図１のプロテクタを一端から見た正面図である。
【図３】図１のプロテクタを一側面から見た側面図である。
【図４】図１のプロテクタを左右方向に屈曲させている状態を示す平面図である。
【図５】図１のプロテクタを上下方向に屈曲させている状態を示す側面図である。
【図６】図１のプロテクタを略Ｌ字形に屈曲させて取付対象物に装着する状態を示す斜視図である。
【図７】図１のプロテクタを略Ｌ字形に屈曲させて取付対象物に装着する状態を示す斜視図である。
【図８】図１のプロテクタを、略「く」字形に屈曲させて取付対象物に装着しつつ、ワイヤハーネスをプロテクタに配設した状態を示す斜視図である。
【符号の説明】
【００２１】
１  ワイヤハーネス用プロテクタ
２  底部
３ａ，３ｂ  側壁
４ａ，４ｂ，４ｃ  硬質部
５ａ，５ｂ  軟質部
６ａ〜６ｅ  外底面
７ａ，７ｂ  フック
８        取付対象物
９ａ，９ｂ  取付孔
１０ａ，１０ｂ  垂下部
１１ａ，１１ｂ  抜け止
１２      ワイヤハーネス
１３      天板部
１４      鉛直壁部
１５      底板部
１６      鉛直壁部
１７ａ，１７ｂ  取付孔
１８      取付対象物
１９      取付対象物
【図１】
2008228466.tif 000003
【図２】
2008228466.tif 000004
【図３】
2008228466.tif 000005
【図４】
2008228466.tif 000006
【図５】
2008228466.tif 000007
【図６】
2008228466.tif 000008
【図７】
2008228466.tif 000009
【図８】
2008228466.tif 000010